(57)【要約】【課題】  設置作業及び撤去作業を容易に行い得る注意喚起用具の提供。【解決手段】  複数個の環状部材２，２，…と、隣接する環状部材同士を連結する連結部材３とを備える。前記環状部材２は、同心円状に配置された複数の同心環４ａ，４ｂ，４ｃによって構成され、この複数の同心環４ａ，４ｂ，４ｃは互いに繋がれるとともに、この同心環４ａ，４ｂ，４ｃを径方向に貫通する挿通孔６が穿設されている。前記連結部材３は、両端に前記挿通孔６に対応した挿通部９を備える。前記連結部材３の挿通部９が隣接する環状部材２の挿通孔６にそれぞれ挿通されることにより、複数の環状部材２，２，…が連結される。【選択図】      図１
2006002430.tif 000002
【特許請求の範囲】
【請求項１】
道路上に敷設されて段差が設けられることにより車両の運転者に対して注意を喚起する注意喚起用具であって、
複数個の環状部材が連接されてなる
ことを特徴とする注意喚起用具。
【請求項２】
複数個の環状部材と、
隣接する環状部材同士を連結する連結部材とを備える
ことを特徴とする請求項１に記載の注意喚起用具。
【請求項３】
前記環状部材には径方向に挿通孔が設けられ、
前記連結部材は、両端に前記挿通孔に対応する挿通部を備えており、
前記連結部材の挿通部が隣接する前記環状部材の挿通孔にそれぞれ挿通されることにより、複数の環状部材が連結される
ことを特徴とする請求項２に記載の注意喚起用具。
【請求項４】
前記環状部材は、相互に繋がれた同心多重環状である
ことを特徴とする請求項１から請求項３までのいずれかに記載の注意喚起用具。
【請求項５】
前記環状部材は、略円形である
ことを特徴とする請求項１から請求項４までのいずれかに記載の注意喚起用具。
【請求項６】
道路上に敷設されて段差が設けられることにより車両の運転者に対して注意を喚起する注意喚起用具であって、
複数個の環状部材と、
隣接する環状部材同士を連結する連結部材とを備え、
前記環状部材は、同心円状に配置された複数の同心環によって構成され、この複数の同心環は互いに繋がれるとともに、この同心環を径方向に貫通する挿通孔が穿設され、
前記連結部材は、両端に前記挿通孔に対応した挿通部を備えており、
前記連結部材の挿通部が隣接する環状部材の挿通孔にそれぞれ挿通されることにより、複数の環状部材が連結される
ことを特徴とする注意喚起用具。
【請求項７】
請求項１から請求項６までのいずれかに記載の注意喚起用具用の環状部材。
【発明の詳細な説明】
【技術分野】
【０００１】
本発明は、道路上に一時的に敷設し、適当な段差を設けることにより車両通過時に振動を与え、進行方向前方の道路作業などについて運転者に対し注意を喚起する注意喚起用具に関するものである。
【背景技術】
【０００２】
従来の注意喚起用具は帯板状に形成され、長手方向が道路の進行方向に対して直角になるように適当な間隔を空けて数列配置されて使用されるのが一般的であった。しかし、このような従来の注意喚起用具は、その上を多数の車両が通過する状況下で使用されるものであるため、車両が通過する度に進行方向に沿った力が加えられて大きくずれてしまうという不都合があった。
【０００３】
このような不都合を解消すべく、帯板状に形成された注意喚起用具にボルト埋設孔を設け、ボルトや釘などの拘止部材を直接道路に打ち込むことにより固定するものが提案されている（特許文献１参照）。
【０００４】
また、帯板状に形成された注意喚起用具の裏面側に凹部を設け、その凹部の中に粘着材を配設することにより路面に接着させるものが提案されている（特許文献２参照）。
【特許文献１】特許第２６３８１３３号公報
【特許文献２】実公平０７−５０４０６号公報
【発明の開示】
【発明が解決しようとする課題】
【０００５】
しかしながら、特許文献１に記載の発明においては、注意喚起用具を確実に路面に固定できるものの、拘止部材を道路に打ち込む作業が必要となる。そのため時間的・労力的ロスが非常に大きく、また、道路上で設置・撤去作業を行う作業者が長時間危険に晒されるという問題がある。
【０００６】
また、特許文献２に記載の発明では、接着力を高めるためには設置前に予め道路上にある埃などを除去しておく必要があり面倒である。また、雨などで路面が濡れた状態では、粘着材の接着力が大きく低下し使用できないという問題がある。
【０００７】
さらに、帯板状に形成された注意喚起用具は、車両が注意喚起用具に乗り上げて振動が与えられるのは１度だけであり、運転者に対し複数回の振動を体感させて十分な注意を喚起するためには適当な間隔を空けて複数列並べる必要があり、それだけ設置作業が増加してしまうという不都合があった（特許文献１の第１図、特許文献２の第３図参照）。
【０００８】
このような事情から、本発明は、濡れた路面であっても接地力を保持し、さらに、一箇所のみに設置した場合であっても車両の運転者に複数回の振動を与えて十分な注意を喚起することができ、設置作業及び撤去作業が容易な注意喚起用具を提供することを目的とする。
【課題を解決するための手段】
【０００９】
本発明は、道路上に敷設されて段差が設けられることにより車両の運転者に対して注意を喚起する注意喚起用具であって、複数個の環状部材が連接されてなることを特徴とする。
【００１０】
好ましくは、複数個の環状部材と、隣接する環状部材同士を連結する連結部材とを備える。
【００１１】
また、前記環状部材には径方向に挿通孔が設けられ、前記連結部材は、両端に前記挿通孔に対応する挿通部を備えており、前記連結部材の挿通部が隣接する前記環状部材の挿通孔にそれぞれ挿通されることにより、複数の環状部材が連結されるのが好ましい。
【００１２】
さらに好ましくは、前記環状部材は、相互に繋がれた同心多重環状とする。
【００１３】
さらにまた、前記環状部材は、略円形であることが好ましい。
【００１４】
また、本発明は、道路上に敷設されて段差が設けられることにより車両の運転者に対して注意を喚起する注意喚起用具であって、複数個の環状部材と、隣接する環状部材同士を連結する連結部材とを備え、前記環状部材は、同心円状に配置された複数の同心環によって構成され、この複数の同心環は互いに繋がれるとともに、この同心環を径方向に貫通する挿通孔が穿設され、前記連結部材は、両端に前記挿通孔に対応した挿通部を備えており、前記連結部材の挿通部が隣接する環状部材の挿通孔にそれぞれ挿通されることにより、複数の環状部材が連結されることを特徴とする。
【発明の効果】
【００１５】
本発明の注意喚起用具によれば、濡れた路面であっても使用することができ、さらに、１箇所のみに設置した場合であっても車両の運転者に複数回の振動を与えて十分な注意を喚起することができる。
【発明を実施するための最良の形態】
【００１６】
以下、本発明の一実施形態について説明する。
【００１７】
本実施例の注意喚起用具１は、図１に示すように、複数個の環状部材２，２，…が連結部材３により互いに連結されて構成される。なお、本発明の注意喚起用具１は、本実施例のように連結部材３により連結されるものとはせず、予め一般的な道路幅に適合するように複数個の環状部材１が連接する一体のものとして形成することもできる。また、注意喚起用具１は、視覚によっても注意を喚起することができるように、黄色などの目立つ色にするのが望ましい。
【００１８】
本実施例の各環状部材２は、図２に示すように、同心円状に間隔を空けて配置された第１同心環４ａ、第２同心環４ｂ、第３同心環４ｃにより構成され、各同心環４ａ，４ｂ，４ｃは複数箇所に設けられた繋環部５，５，…により相互に繋がれている。そして、これらの同心環４ａ，４ｂ，４ｃには径方向に連通する挿通孔６ａ，６ｂ，６ｃよりなる挿通孔６が周方向に沿って等間隔に６箇所穿設されている。また、図３に示すように、第３同心環４ｃの外周面における各挿通孔６ｃの周縁には、連結部材３の挿通部９を環状部材２の挿通孔６に完全に挿入した状態で当り止め部８が半分まで埋まる深さの凹部７が形成されている。本実施例では環状部材２は硬質の合成樹脂製であり、径は６００ｍｍ、厚さは１０ｍｍ、重さは１kg程度、各同心環４ａ，４ｂ，４ｃの幅は３０ｍｍ、各同心環の間に設けられた間隔は１０ｍｍに形成されている。なお、環状部材２の素材には反発力が小さく接地力の高い硬質の合成樹脂が好適であるが、他の材料を用いてもよい。また、環状部材２は上記の寸法、重量に限定されるものではないが、径は環状部材内において１度タイヤが接地する大きさにするのが望ましい。また、同心環４ａ，４ｂ，４ｃは３重以外の多重環状でもよく、１重に構成することもできる。
【００１９】
本実施例の連結部材３は、図３〜図５に示すように略板状であって中央に当り止め部８が設けられており、両端には先端方向にゆくに従ってやや先細となる挿通部９が形成されている。そして、この挿通部９は環状部材２に形成された挿通孔６の大きさと対応しており、また、各同心環４ａ，４ｂ，４ｃの内周面に対応する位置にそれぞれ抜け止め部１０ａ，１０ｂ，１０ｃが形成されている。また、当り止め部８は、環状部材２の第３同心環４ｃの外周面において挿通孔６の周縁に設けられた凹部７の形状と対応している。なお、本実施例の連結部材３は合成樹脂製であるが他の材料を用いることもできる。また、連結部材３は、車両の通行により容易に外れないものであれば他のものも使用可能である。
【００２０】
本実施例の塞孔部材１１は、環状部材２の連結に使用しない挿通孔６を塞ぐために使用される。この塞孔部材１１は、図３に示すように、連結部材３を当り止め部８における中心線で２等分した形状に形成され、連結部材３と同様の当り止め部８及び抜け止め部１０ａ，１０ｂ，１０ｃを備えており、環状部材２の挿通孔６及び凹部７と適合する形状をしている。
【００２１】
次に、注意喚起用具１の使用方法について説明する。まず、道路脇などの安全な場所において、各環状部材２の連結作業を行う。連結方法は、図３〜図５に示すように、最初に連結部材３の挿通部９の一方を環状部材２の挿通孔６に当り止め部８が環状部材２の凹部７に接触するまで挿入する。そして、同様に他方の挿通部６を他の環状部材２の挿通孔６に挿入して連結する。このとき、挿通孔６周縁に設けられた凹部７は、連結部材３の挿通部９を環状部材２の挿通孔６に完全に挿入した状態で当り止め部８が半分まで埋まる深さに形成されているため、図４及び図５に示すように連結部材３は２つの環状部材２，２に設けられた各凹部７，７の中に収まる。このように連結部材３は連結時において外部に露出しないため、車両のタイヤを損なうことがなく安全である。このような連結作業を繰り返し、所望の長さになるまで環状部材２を連結する。
【００２２】
このように連結された環状部材２を、図１のように２列に連結する。このとき、環状部材２において挿通孔６が周方向に沿って等間隔に６箇所、すなわち環状部材２の中心から見て６０度の間隔で設けられているため、環状部材２を複数列になるように構成しても各環状部材２を隣接する全ての環状部材２と連結することができる。そして、連結に使用しない挿通孔７には塞孔部材１１を挿入する。なお、このような連結作業を繰り返すことにより、環状部材２を２列以上に連結することも可能であり、また、１列のみで使用することもできる。
【００２３】
このように環状部材２を連結して構成された注意喚起用具１を、図６に示すように長手方向が道路１２の進行方向と直角になるように敷設する。設置場所は、道路作業などが行われている進行方向手前であって、注意喚起用具により注意が喚起された車両１３の運転者が十分に余裕をもって減速することができる程度手前の位置に設置するのが望ましい。
【００２４】
本発明の注意喚起用具１は、環状部材２が円形に形成されているため、車両１３のタイヤがどの部分に乗り上げた場合でも、従来の帯板状の注意喚起用具と比べてタイヤとの接触面積が小さくなるため、車両１３の通行によるずれが抑えられる。また、車両通行時に加わる力が均一に分散されることから、ずれを抑えることができるのみならず、ずれが生じた場合であっても車両１３の進行方向に沿った方向に移動するため、道路１２の進行方向と直角方向へのずれが抑えられる。さらに、環状部材２同士は点で接しているため、車両通行時の振動によって生ずる環状部材２同士の摩擦による磨耗を抑えることができる。
【００２５】
また、本発明の注意喚起用具１は、環状部材２が間隔を空けて繋がれた複数の同心環４ａ，４ｂ，４ｃにより形成されているため、車両通行時において各同心環４ａ，４ｂ，４ｃがそれぞれ独立してタイヤと接触し、また、各同心環が４ａ，４ｂ，４ｃそれぞれ独立して接地するため、接地力がさらに強化される。
【００２６】
このように、本発明の注意喚起用具１は、従来のものと比べ著しく接地力が強化されているため、拘止部材や粘着材を用いなくとも車両１３の通行によるずれを大きく抑えることができ、雨などにより路面が濡れた状態や未舗装道路においても使用することができる。
【００２７】
さらに、本発明の注意喚起用具１は、環状部材２が環状に構成されていることにより車両１３のタイヤが環状部材２内において１度接地する。そのため、１個の環状部材２につき２箇所の段差が設けられ、車両１３が１つの環状部材２を通過する度に２度の振動が与えられるため、注意喚起用具１を１箇所にのみ設置する場合であっても運転者に対し十分な注意を喚起することができる。
【００２８】
さらにまた、本発明の注意喚起用具１は複数個の独立した環状部材２，２，…が連結部材３により連結されることにより構成されているため、その都度、設置場所における道路幅に適合するように長さを調節することができる。また、構成部品が磨耗や破損などした場合にはその部分のみを交換することができる。さらに、各構成部品を分解して保管や運搬をすることができる。
【００２９】
以上、本発明の注意喚起用具１の一実施形態について説明したが、本発明はこの実施形態に限定されるものではなく適宜変更可能である。例えば、環状部材２は、円形が好適であるが、四角形や六角形などの多角形とすることもできる。また、本実施例では環状部材２は同心多重環状に構成された場合を説明したが、中心をずらした多重環状に構成することもできる。
【図面の簡単な説明】
【００３０】
【図１】本発明の注意喚起用具の一実施例を示す図である。
【図２】環状部材を示す図である。
【図３】連結部材の使用方法を示す図である。
【図４】連結部分を示す拡大図である。
【図５】図４におけるＸ−Ｘ断面図である。
【図６】本発明の注意喚起用具の使用状態を示す図である。
【符号の説明】
【００３１】
１    注意喚起用具
２    環状部材
３    連結部材
４ａ  第１同心環
４ｂ  第２同心環
４ｃ  第３同心環
５    繋環部
６    挿通孔
７    凹部
８    当り止め部
９    挿通部
１０ａ  抜け止め部
１０ｂ  抜け止め部
１０ｃ  抜け止め部
１１    塞孔部材
１２    道路
１３    車両
【図１】
2006002430.tif 000003
【図２】
2006002430.tif 000004
【図３】
2006002430.tif 000005
【図４】
2006002430.tif 000006
【図５】
2006002430.tif 000007
【図６】
2006002430.tif 000008